(57)【要約】【課題】  運転を中断することなく篩網上の対象物の排出口への進入を許容する状態と阻止する状態とに切り替えることができるようにする。【解決手段】  分離枠の上円筒枠４１に篩網上の対象物（残留物）を排出するための排出口及び排出口体４４を設ける。また、上円筒枠４１内であって前記排出口の近傍に、篩網上の対象物が前記排出口に進入することを許容する状態と阻止する状態とに切り替えるための切替装置４５を設ける。切替装置４５は、開口を有する壁部４６と、前記開口を開閉するための扉５０と、扉５０を開閉動作させるエアモータ５２とを有している。【選択図】  図２
2005081319.tif 000002
【特許請求の範囲】
【請求項１】
振動発生手段によって振動されることにより内部に収容された複数種の対象物を分離する分離枠において、
前記対象物を分離するための底面部を有する枠本体と、
前記枠本体に設けられ前記底面部に残された残留物を排出する排出口と、
前記排出口の近傍に設けられた壁部、前記壁部に設けられ扉により開閉される開口を有し、前記扉が開閉動作されることにより前記底面部上の対象物が前記排出口に進入することを許容する状態と阻止する状態とに切替え可能な切替装置とを備えることを特徴とする分離枠。
【請求項２】
前記扉は、前記開口の上下方向の中心部に配置された回転軸を備え、前記回転軸が回転されることにより前記開口を開閉するように構成されていることを特徴とする請求項１記載の分離枠。
【請求項３】
前記回転軸の両端部のうちの一方は枠本体よりも外方に突出し、前記一端部には前記回転軸を回転駆動する駆動手段が接続されていることを特徴とする請求項２記載の分離枠。
【請求項４】
前記駆動手段は、エアモータから構成されていることを特徴とする請求項３記載の分離枠。
【請求項５】
請求項１ないし４のいずれかに記載の分離枠と、
前記分離枠を振動させる振動発生手段とを備える振動分離装置。
【発明の詳細な説明】
【技術分野】
【０００１】
本発明は、振動発生手段により振動されることにより複数種の対象物をその形状や大きさ等により分離する分離枠及び振動分離装置に関する。
【背景技術】
【０００２】
図８は従来の振動分離装置に用いられる分離枠の構成を示すものである。この図８に示すように、分離枠１は、上枠２、下枠３、並びに前記上枠２と下枠３との間に挟み込まれた網枠４とから構成されている。前記網枠４は、断面Ｌ字状のフレーム５の上辺部５ａに篩網６を取付けた構成となっている。前記上辺部５ａを、前記上枠２の下端部に溶接されたフランジ部２ａ及び前記下枠３の上端部に溶接されたフランジ部３ａの間にパッキン７を介して挟み込み、前記フランジ部２ａ，３ａに断面Ｖ字状のバンド８を締め付けることにより、網枠４は上枠２及び下枠３の間に固定されている。
【０００３】
前記上枠２の下部には排出口９が形成されており、前記排出口９に対応する前記上枠２の外周面部には排出口体１０が設けられている。前記排出口９は、上枠の内面にねじ止めされた蓋１１で閉鎖されている。
上記構成においては、前記篩網６上の対象物をふるい落とす際は前記蓋１１で前記排出口９を閉塞した状態で振動発生手段（図示せず）により分離枠１を振動する。そして、対象物の篩い分け作業が終了すると、ねじを緩めて蓋１１を移動させ排出口９を開放した状態で前記分離枠１を振動させる。これにより、篩網６上の残留物は排出口９から外部に排出される。
【発明の開示】
【発明が解決しようとする課題】
【０００４】
ところが、従来の分離枠では、前記蓋１１は上枠２に取り付けられていて、排出口９を直接的に開閉する構成であった。このため、前記蓋１１を開閉させるときは振動分離装置の運転を中断しなければならず、生産性が悪かった。
本発明は上記事情に鑑みてなされたものであり、その目的は、運転を中断することなく底面部上の対象物の排出口への進入を許容する状態と阻止する状態とに切り替えることができる分離枠及び振動分離装置を提供することである。
【課題を解決するための手段】
【０００５】
本発明は、振動発生手段によって振動されることにより内部に収容された複数種の対象物を分離する分離枠を、前記対象物を分離するための底面部を有する枠本体と、前記枠本体に設けられ前記底面部に残された残留物を排出する排出口と、前記排出口の近傍に設けられた壁部、前記壁部に設けられ扉により開閉される開口を有し、前記扉が開閉動作されることにより前記底面部上の対象物が前記排出口に進入することを許容する状態と阻止する状態とに切替え可能な切替装置とから構成したことを特徴とする。
【発明の効果】
【０００６】
本発明の分離枠は、排出口の近傍に壁部を設けると共に前記壁部に開口を設け、前記開口を扉で開閉することにより底面部上の対象物が前記排出口に進入することを許容する状態と阻止する状態とに切替えられる。つまり、排出口を直接的に開閉する従来構成とは異なり、排出口から離間して設けられた開口が開閉される。従って、扉の開閉動作に及ぼす振動発生手段による振動の影響を小さくすることができる。このため、運転を中断しなくても扉を開閉動作させることができる。
【発明を実施するための最良の形態】
【０００７】
（第１の実施例）
以下、本発明の第１の実施例について図１ないし図５を参照しながら説明する。まず、本実施例に係る振動分離装置２１の全体構成について説明する。図１に示すように、振動分離装置２１は、円筒状をなす架台２２上に枠受スプリング２３を介して振動体ベース２４が振動自在に支持されている。
【０００８】
架台２２の内側面には、モータ２５が固定され、このモータ２５の回転軸２５ａにＶプーリ２６が連結されている。また、架台２２の内底面にはＶプーリ２７が回転可能に支持されており、このＶプーリ２７と上記Ｖプーリ２６との間にＶベルト２８が掛け渡されている。
Ｖプーリ２７の駆動軸２７ａには、駆動スプリング２９を介して回転軸３０が連結されている。この回転軸３０の下端部には、カップリング３１が一体に設けられ、このカップリング３１に前記駆動スプリング２９の上端部が固定されている。回転軸３０は、前記振動体ベース２４の下面部であって中心部に固定された軸受ハウジングとしての振動体ハウジング３２に図示しない軸受を介して回転可能に支持されている。
【０００９】
回転軸３０の前記振動体ハウジング３２の上方に突出した上端部には、上部アンバランスウェイト３３が固定されている。これにより、上部アンバランスウェイト３３は回転軸３０と一体に回転するように構成されている。一方、回転軸３０の前記振動体ハウジング３２の下方に突出した下端部であって前記カップリング３１の上方には、下部アンバランスウェイト３４が取付けられている。これら回転軸３０及び上下部両アンバランスウェイト３３，３４並びに前記モータ２５は振動発生手段を構成する。
【００１０】
前記下部アンバランスウェイト３４は、回転軸３０に対して例えばねじ止めされており、ねじを緩めて回動させることにより上部アンバランスウェイト３３に対する角度を変更することができる。そして、上下部アンバランスウェイト３３，３４間の角度を調節することにより、前記振動発生手段の振動モードを変化させることができる。
一方、前記振動体ベース２４上には下円筒枠３５が固定され、この下円筒枠３５の上に分離枠３６が固定されている。また分離枠３６の上面には、対象物を投入する投入口３７が中央に形成されたテーパ状の蓋３８が被せられている。
【００１１】
下円筒枠３５と分離枠３６、分離枠３６と蓋３８は、それぞれ断面略Ｖ字状のバンド３９を締め付けることにより連結されている。
前記分離枠３６は、中円筒枠４０及び上円筒枠４１、これら円筒枠４０，４１の間に挟み込まれて固定された網枠４２から構成されている。前記網枠４２は、断面Ｌ字上のフレームの上辺部に篩網４２ａが溶接などにより取り付けられて構成されている。中円筒枠４０、上円筒枠４１、網枠４２はバンド３９により連結されている。従って、本実施例では、中円筒枠４０及び上円筒枠４１が枠本体として機能し、篩網４２ａが底面部として機能する。
【００１２】
上円筒枠４１には、篩網４２ａ上の対象物（残留物）を排出するための排出口４３及び排出口体４４が設けられている。また、上円筒枠４１内であって前記排出口４３の近傍には、篩網４２ａ上の対象物が前記排出口４３に進入することを許容する状態と阻止する状態とに切り替える切替装置４５が設けられている。
前記切替装置４５の構成について図２ないし図５を参照しながら説明する。前記切替装置４５は、前記排出口４３を覆うように前記上円筒枠４１の内面に取り付けられた壁部４６を備えている。
【００１３】
前記壁部４６はＬ字状をなし、その周方向一端部に設けられたフランジ４７を上円筒枠４１の内面にねじ止めすると共に周方向他端部を上円筒枠４１の内面に溶接することにより上円筒枠４１に固定されている。これにより、壁部４６と上円筒枠４１との間には略三角形状の空間が形成される。壁部４６の上には前記空間を塞ぐための蓋４６ａが取り付けられている。
【００１４】
また、前記壁部４６のうち折曲部よりも周方向一方側の面には台形状の開口４８が形成されている。前記開口４８は壁部４６の一方の面の下部から上部付近にかけて幅一杯に形成されている。更に、壁部４６のうち折曲部よりも周方向他方側の面の下端部には合成ゴム、例えばシリコーンゴム４９が取り付けられている。上円筒枠４１の下部に網枠４２が配置されたとき、前記シリコーンゴム４９の下端部が篩網４２ａの上面に当接するようになっている。
【００１５】
前記開口４８には、前記開口４８と略同じ台形状の扉５０が設けられている。前記扉５０は、前記開口４８の上下方向の略中心を横切る回転軸５１を備えている。前記回転軸５１の両端部は前記壁部４６及び上円筒枠４１に回転可能に支持されており、回転軸５１のうち上円筒枠４１よりも外方に突出する端部には駆動手段としてのエアモータ５２の出力軸５２ａが連結されている。前記エアモータ５２は、上円筒枠４１の外面下部に取り付けられた支持枠５３に支持台５２ｂを介して固定されている。
【００１６】
詳しい図示及び説明は省略するが、前記エアモータ５２はシリンダ内に圧縮空気が送り込まれることにより前記シリンダ内のベーンが揺動起点から終点まで揺動されるように構成されている。前記出力軸は前記ベーンの揺動中心に設けられている。そして、前記エアモータ５２の上部にはシリンダ内への圧縮空気の供給経路を切り替えるための電磁弁５４が配置されている。本実施例では、前記電磁弁５４がオンのとき、エアモータ５２のベーンは揺動起点（０度）から９０度だけ回転して揺動終点に移動する。この結果、扉５０は矢印Ａ方向（図５参照）に回転して開口４８が開放される。一方、電磁弁５４がオフのとき、エアモータ５２のベーンは揺動終点から９０度だけ回転して揺動起点に戻る。この結果、扉５０は反矢印Ａ方向に回転して開口４８が閉鎖される。
【００１７】
図３は、ベーンが揺動起点にあるときを示しており、このとき、扉５０は直立状態にある。一方、図４は、ベーンが揺動終点にあるときを示しており、このとき、扉５０は篩網４２ａと略平行状態にある。
尚、扉５０の周縁部にはシリコーンゴム５５が一体的に設けられている。これにより、扉５０は開口４８を気密に閉鎖するようになっている。
【００１８】
また、下円筒枠３５には、前記篩網４２ａによりふるい落とされた対象物を受ける円錐状の受け部５６が設けられている。前記下円筒枠３５には、前記受け部５６で受けられた対象物を外部に排出するための下部排出口(図示せず)が設けられており、この下部排出口に対応して前記下円筒枠の外周部には排出口体（図示せず）が設けられている。
【００１９】
次に、上記構成の作用について説明する。まず、作業を開始するに当たって、振動発生手段により所望の振動モードが得られるように下部アンバランスウェイト３４の位置を調節する。ここでは、上下部アンバランスウェイト３３，３４間の角度が篩網４２ａ上の対象物（図示せず）が中心から外周に向かって時計回り方向に渦巻くように移動するような角度となるように下部アンバランスウェイト３４の位置を設定する。また、電磁弁５４をオフにする。
【００２０】
そして、モータ２５に通電した後、対象物を投入口３７から投入する。この結果、振動発生手段によって分離枠３６及び下円筒枠３５が振動され、篩網４２ａ上の対象物がふるい分けられる。このとき、切替装置４５の開口４８は扉５０によって閉鎖されているため、篩網４２ａ上の対象物が排出口４３に進入することが阻止される。この結果、篩網４２ａの網目を通過した対象物は受け部５６の上に落とされ、下部排出口を介して排出口体５７から外部に取り出される。一方、篩網４２ａの網目よりも大きな対象物は篩網４２ａに残留する。
【００２１】
篩網４２ａによるふるい分け作業が十分に進むと電磁弁５４をオンする。すると、エアモータ５２により扉５０が矢印Ａ方向に９０度だけ回転され、この結果、開口４８が開放される。このため、篩網４２ａ上に残留した対象物は、中心から外周に向かって時計回り方向に移動しながら開口４８を通って排出口４３に進入し、排出口体４４を通って外部に取り出される。この後、再び対象物のふるい分け作業を行う場合は、電磁弁５４をオフする。これにより扉５０が反矢印Ａ方向に回転して直立し、開口４８が閉鎖される。
【００２２】
このように本実施例によれば、篩網４２ａ上の対象物が排出口４３に進入することを許容する状態と阻止する状態とに切替える切替装置４５を設けた。そして、前記切替装置４５を、扉５０によって開閉される開口４８を有する壁部４６から構成した。つまり、排出口４３とは別に設けられた開口４８を扉５０で開閉するようにした。従って、扉５０の開閉動作に及ぼす振動発生手段による振動の影響を小さくすることができる。このため、振動分離装置２１の運転を中断しなくても扉５０を開閉動作させることができる。
【００２３】
また、電磁弁５４をオン・オフすることにより扉５０が回動して前記開口４８が開閉されるように構成した。従って、扉５０による開口４８の開閉動作を簡単に行うことができる。
更に、扉５０の駆動源としてエアモータ５２を用いた。エアモータ５２は圧縮空気が供給されることにより駆動されるため、エアモータ５２自身を駆動するための電気配線は不要である。従って、振動によりエアモータ５２に不具合が発生することを防止できる。
【００２４】
（第２の実施例）
図６及び図７は本発明の第２の実施例を示すものであり、第１の実施例と異なるところを説明する。尚、第１の実施例と同一部分には同一符号を付している。この第２の実施例にかかる切替装置４５では、手動操作により扉５０を開閉動作させるように構成されている。即ち、扉５０の回転軸５１のうち上円筒枠４１から外方に突出する端部にはレバー６１の基部に設けられた軸部６２が連結されている。
【００２５】
前記レバー６１の軸部６２は支持枠５３に固定された支持台６３に支持されている。前記レバー６１の基部には円弧状の溝部６４が形成され、前記支持台６３には前記溝部６４に対応する孔部（図示せず）が形成されている。そして、前記溝部６４及び前記孔部に蝶ボルト６５を挿通し、ナット６６を締め付けることにより前記レバー６１は支持台６３に固定されている。
【００２６】
上記構成においては、ナット６６を緩めることによりレバー６１を回動させることができる。このとき、ボルト６５を溝部６４に沿わせながらレバー６１を移動させる。そして、レバー６１を適宜回動させることにより扉５０を回動させて開口４８を開閉することができる。また、レバー６１を回動させた後、ナット６６を締め付けてレバー６１を固定することにより開口４８の開放状態及び閉鎖状態を維持することができる。
【００２７】
このような構成においても、振動分離装置２１の運転を中断することなく前記扉５０を開閉させることができる。また、本実施例では扉５０を開放させるための駆動源が不要となるため、構成を簡略化することができる。
【００２８】
尚、本発明は上記した実施例に限定されるものではなく例えば次のような変形が可能である。
中円筒枠４０と上円筒枠４１との間に直接、篩網を挟み込む構成でも良い。
分離枠の底面部としての篩網に排出口を設けても良い。
扉を開閉させるための駆動源としてはエアモータに限定されるものではなく、例えばステッピングモータから構成しても良い。この場合は、扉の開閉角度を適宜調節することができる。
【図面の簡単な説明】
【００２９】
【図１】本発明の第１の実施例を示すものであり、振動分離装置の全体構成を示す縦断正面図
【図２】上円筒枠の側面図
【図３】扉が閉鎖状態にあるときの切替装置の周辺部分を示す上面図
【図４】扉が開放状態にあるときの切替装置の周辺部分を示す上面図
【図５】切替装置の壁部周辺を示す斜視図
【図６】本発明の第２の実施例を示すものであり、扉が閉鎖状態にあるときの切替装置の周辺部分の斜視図
【図７】図３相当図
【図８】分離枠の従来構成を示す図
【符号の説明】
【００３０】
図中、２１は振動分離装置、２５はモータ（振動発生手段）、３０は回転軸（振動発生手段）、３３は上部アンバランスウェイト（振動発生手段）、３４は下部アンバランスウェイト（振動発生手段）、３６は分離枠、４２ａは篩網（底面部）、４３は排出口、４５は切替装置、４６は壁部、４８は開口、５０は扉、５２はエアモータ（駆動手段）を示す。
【図１】
2005081319.tif 000003
【図２】
2005081319.tif 000004
【図３】
2005081319.tif 000005
【図４】
2005081319.tif 000006
【図５】
2005081319.tif 000007
【図６】
2005081319.tif 000008
【図７】
2005081319.tif 000009
【図８】
2005081319.tif 000010